(57)【特許請求の範囲】
【請求項１】
撮像手段、発光素子、スピーカ、集音マイクその他の電気回路部品を収容するために設けられ、前記撮像手段及び前記発光素子が設けられる領域に開口部を有する子器本体ケースと、前記開口部に設けられるカバー体とを備え、前記子器本体ケースの開口部は、前記子器本体ケースの正面から上側面の領域に設けられ、前記カバー体は、断面視した場合、概ね逆Ｌ字形状をしており、前記子器本体ケースの開口部に取り付けた際に、前記子器本体ケースの上側面の領域にも、上記発光素子からの光を透過して訪問者等を照らすスモーク部を備えたカバー体が形成されるようにし、又、前記発光素子が、赤外線発光ダイオードであり、前記スモーク部が赤外線透光材料で構成されおり、且つ、前記撮像手段が赤外線撮像手段である、ドアホン子器。
【請求項２】
前記カバー体は、子器本体ケースの正面からその上側面に移行するコーナ部の内表面側に、前記撮像手段が撮像する映像に線模様が形成されるのを防止するための緩やかな曲面を備える、請求項１に記載のドアホン子器。
【請求項３】
前記カバー体は、前記発光素子が外部から見えないようにするためのスモーク部と、可視光透過部とを備え、前記スモーク部は、その中央に開口部を有する枠体形状をしており、前記可視光透過部が、前記枠体形状のスモーク部の開口部を塞ぐように一体成形されている、請求項１又は請求項２に記載のドアホン子器。
【請求項４】
前記カバー体は、前記発光素子が外部から見えないようにするためのスモーク部と、可視光透過部とを備え、前記スモーク部は、その中央に開口部を有する枠体形状をしており、前記可視光透過部が、前記枠体形状のスモーク部を覆うように、且つ、前記枠体形状のスモーク部の開口部を塞ぐように一体成形されている、請求項１又は請求項２に記載のドアホン子器。
【請求項５】
前記撮像手段の近傍位置に、撮像対象やその周辺の明るさを検出する明るさセンサーを備える、請求項１〜４のいずれかに記載のドアホン子器。
【請求項６】
前記発光素子、前記撮像手段及び前記明るさセンサーをカメラブロックとし、前記カメラブロックにより、前記撮像手段の撮像アングルを変えることができるようにした、請求項５に記載のドアホン子器。
【請求項７】
前記発光素子を、前記撮像手段の上方位置に設け、前記明るさセンサーを、前記撮像手段の下方位置に設けた、請求項６に記載のドアホン子器。
【請求項８】
請求項１〜７のいずれかに記載のドアホン子器と、前記ドアホン子器の撮像手段が撮像した映像を表示するモニターテレビを有する親機とを備える、テレビ付きインターホンシステム。
【発明の詳細な説明】
【０００１】
【発明の属する技術分野】
【０００２】
本発明は、ドアホン子器及びテレビ付きインターホンシステムに関し、ドアホン子器内に設けられる撮像手段が、広範囲に映像を撮像できるようにしたドアホン子器、及び、そのようなドアホン子器を備えるテレビ付きインターホンシステムに関する。
【従来の技術】
【０００３】
図１４は、従来のテレビ付きインターホンシステムにおいて採用されているドアホン子器を概略的に示す斜視図である。
【０００４】
このドアホン子器１０１は、住戸の扉の近傍に取り付けられるものであり、撮像手段、発光素子、スピーカ、集音マイクその他の電気回路部品を収容する子器本体ケース１０２を備える。
尚、１０３で示す部材装置は、子器本体ケース１０２内に収容されている撮像手段を示している。
【０００５】
子器本体ケース１０２は、撮像手段１０３が設けられる領域に開口部ｈ１０２を有する。
この開口部ｈ１０２は、子器本体ケース１０２の正面Ｓ１０２ａに設けられている。
この開口部ｈ１０２には、カバー体１０４が、撮像手段１０３を覆うように設けられている。
【０００６】
また、図１４中、１０５で示す部材装置は、呼出しボタンを、また、１０６は、スピーカを、各々、示している。
【０００７】
次に、このドアホン子器１０１の動作について説明する。
【０００８】
このドアホン子器１０１では、訪問客が、呼出しボタン１０５を押し操作すると、住戸内に設けられる親機（図示せず。）の呼出装置が鳴動するとともに、撮像手段１０３がオンとなり、住戸内に設けられる親機（図示せず。）のモニターテレビ（図示せず。）に、撮像手段１０３が撮像した映像が映し出されるようになっている。
【０００９】
また、住戸人が、親機（図示せず。）のモニターテレビ（図示せず。）の通話ボタン（図示せず。）を押し操作した後、親機（図示せず。）に向かって、訪問客に対して応答すると、その音声が、親機（図示せず。）に設けられている、集音マイク（図示せず。）によって拾われるが、この集音マイク（図示せず。）によって拾われた音声が、ドアホン子器１０１に設けられているスピーカ１０６から出力されるようになっている。
【００１０】
また、訪問客が、来訪の旨を告げると、ドアホン子器１０１に設けられている集音マイク（図示せず。）が、この音声を拾い、この音声が、親機（図示せず。）のスピーカ（図示せず）から出力されるようになっている。
【００１１】
また、住戸人が、住戸の扉付近の様子を知りたいときには、親機（図示せず。）に設けられているモニターボタン（図示せず。）を押し操作すると、所定時間、ドアホン子器１０１に設けられている撮像手段１０３及び親機（図示せず。）に設けられているモニターテレビ（図示せず。）の各々が通電状態になり、撮像手段１０３が撮像した映像が、モニターテレビ（図示せず。）に、所定時間、映し出されるようになっている。
【００１２】
また、親機（図示せず。）がハンズフリーの場合には、住戸人が、親機（図示せず。）に設けられている通話ボタン（図示せず。）を押し操作した後、親機（図示せず。）に向かって、訪問客に対して応答すると、その音声が、親機（図示せず。）に設けられている、集音マイク（図示せず。）によって拾われるが、この集音マイク（図示せず。）によって拾われた音声が、ドアホン子器１０１に設けられているスピーカ１０６から出力されるようになっている。
【００１３】
また、親機（図示せず。）がハンドセット（図示せず。）を有する場合には、住戸人が、ハンドセット（図示せず。）を取り上げ、ハンドセット（図示せず。）に向かって、訪問客に対して応答すると、その音声が、ハンドセット（図示せず。）の送話器（図示せず。）によって拾われ、この送話器（図示せず。）が拾った音声が、ドアホン子器１０１に設けられているスピーカ１０６から出力されるようになっている。
【００１４】
また、住戸人が、住戸の扉付近の様子を知りたいときには、親機（図示せず。）のハンドセット（図示せず。）を取り上げる（オフフックする）と、ドアホン子器１０１に設けられている撮像手段１０３及び親機（図示せず。）に設けられているモニターテレビ（図示せず。）の各々が通電状態になり、撮像手段１０３が撮像した映像が、モニターテレビ（図示せず。）に、所定時間、映し出されるようになっている。尚、ハンドセット（図示せず。）を、所定時間内に、元に戻す（オンフックする）と、撮像手段１０３がオフし、モニターテレビ（図示せず。）もオフするようになっている。
【００１５】
このドアホン子器１０１のような、撮像手段１０３が内蔵されているドアホン子器を備えるテレビ付きインターホンシステムを住戸に取り付けた場合には、扉を解錠する前に、来訪者の顔の確認を、親機（図示せず。）のモニターテレビ（図示せず。）により確認できるため、不審者を、住戸内に入れるといったゆゆしき事態が発生するのを防止できる等、住戸人の安全を図ることができるといった利点があるため、近時、このドアホン子器１０１のような、撮像手段１０３が内蔵されているドアホン子器が組み込まれたテレビ付きインターホンシステムは、住戸に幅広く取り付けられるようになっている。
【発明が解決しようとする課題】
【００１６】
しかしながら、従来のドアホン子器１０１では、図１４に示すように、カバー体１０４が、子器本体ケース１０２の正面方向にのみ設けられているため、例えば、背の高い人が来訪した場合には、来訪者の顔にまで上記発光素子が投光されず、住戸内に設けられている親機（図示せず。）のモニターテレビ（図示せず。）に来訪者の顔が映し出されない、といったような問題が生じる。
【００１７】
本発明は、以上のような問題を解決するためになされたものであって、ドアホン子器の上側面からも発光素子が投光されて照明範囲が広げられるため、ドアホン子器内に設けられる撮像手段で広範囲の撮像視野を有するようにしたドアホン子器、及び、そのようなドアホン子器を組み込んだテレビ付きインターホンシステムを提供することにある。
【課題を解決するための手段】
【００１８】
請求項１に記載のドアホン子器は、撮像手段、発光素子、スピーカ、集音マイクその他の電気回路部品を収容するために設けられ、前記撮像手段及び前記発光素子が設けられる領域に開口部を有する子器本体ケースと、前記開口部に設けられるカバー体とを備え、前記子器本体ケースの開口部は、前記子器本体ケースの正面から上側面の領域に設けられ、前記カバー体は、断面視した場合、概ね逆Ｌ字形状をしており、前記子器本体ケースの開口部に取り付けた際に、前記子器本体ケースの上側面の領域にも、上記発光素子からの光を透過して訪問者等を照らすスモーク部を備えたカバー体が形成されるようにし、又、前記発光素子が、赤外線発光ダイオードであり、前記スモーク部が赤外線透光材料で構成されおり、且つ、前記撮像手段が赤外線撮像手段である。
【００１９】
このドアホン子器では、子器本体ケースの正面から上側面にかけて、発光素子からの光を透過して訪問者等を照らすスモーク部を備えたカバー体を設けるようにし、又、前記発光素子が、赤外線発光ダイオードであり、前記スモーク部が赤外線透光材料で構成されおり、且つ、前記撮像手段が赤外線撮像手段であるので、カバー体を子器本体ケースの正面方向にのみ設けたドアホン子器に比べ、ドアホン子器の上側面からも発光素子が投光されて照明範囲が広げられるため、ドアホン子器に内蔵した撮像手段の撮像視野を広範囲にすることができる。
【００２０】
また、このドアホン子器では、訪問者等を照らす、発光素子として、赤外線発光ダイオードを用いているので、訪問者等に、訪問者等を撮像していることを気づかれることなく、訪問者等を撮像手段により撮像できる。更に、このドアホン子器では、撮像手段として、赤外線撮像手段を用いているので、赤外線発光ダイオードが発光することにより照射され訪問者等によって反射された赤外線の反射光を撮像することで、訪問者等をはっきりと撮像できる。
【００２１】
請求項２に記載のドアホン子器は、請求項１に記載のドアホン子器の、カバー体は、子器本体ケースの正面からその上面側面部に移行するコーナ部の内表面側に、撮像手段が撮像する映像に線模様が形成されるのを防止するための曲面を備える。
【００２２】
このドアホン子器では、カバー体は、子器本体ケースの正面からその上面側面部に移行するコーナ部の内表面側に、撮像手段が撮像する映像に線模様が形成されるのを防止するための緩やかな曲面を設けているので、撮像手段が、このコーナ部を通して撮像した映像に、線模様が形成されない。
【００２３】
この結果、このドアホン子器を親機に接続し、親機のモニターテレビに、このドアホン子器に内蔵した撮像手段が撮像した映像を映し出した場合に、モニターテレビに映し出される映像に、線模様が現れず、来訪者の顔などが、つぶれたりすることなく、はっきり判るように映し出される。
【００２４】
請求項３に記載のドアホン子器は、請求項１又は請求項２に記載のドアホン子器の、カバー体は、発光素子が外部から見えないようにするためのスモーク部と、可視光透過部とを備え、スモーク部は、その中央に開口部を有する枠体形状をしており、可視光透過部が、枠体形状のスモーク部の開口部を塞ぐように一体成形されている。
【００２５】
このドアホン子器では、ドアホン子器に内蔵される発光素子をスモーク部により外側から見えないようにしているので、美観に優れている。のみならず、スモーク部と可視光透過部とを一体成形しているので、カバー体の各々に、スモークシートを貼着するようにした場合に比べ、ドアホン子器の組立作業者の組立作業を、カバー体の各々に、スモークシートを貼着しなくてよいようにした分、軽減できる。
【００２６】
請求項４に記載のドアホン子器は、請求項１又は請求項２に記載のドアホン子器の、カバー体は、発光素子が外部から見えないようにするためのスモーク部と、可視光透過部とを備え、スモーク部は、その中央に開口部を有する枠体形状をしており、可視光透過部が、枠体形状のスモーク部の枠体部を覆うように、且つ、枠体形状のスモーク部の開口部を塞ぐように一体成形されている。
【００２７】
このドアホン子器では、可視光透過部が、枠体形状のスモーク部を覆うように、且つ、枠体形状のスモーク部の開口部を塞ぐように一体成形しているので、カバー体の表面が、可視光透過部によって万遍なく覆われ、可視光透過部とスモーク部との界面が、外部に露呈せず、カバー体を観る人は、スモーク部を、可視光透過部を介して外部から見えるスケルトンとして認識するため、このカバー体を採用したドアホン子器は、美観に優れている。
【００２８】
請求項５に記載のドアホン子器は、請求項１〜４のいずれかに記載のドアホン子器の撮像手段の近傍位置に、撮像対象やその周辺の明るさを検出する明るさセンサーを備える。
【００２９】
このドアホン子器では、子器本体ケースの正面から上側面にかけて、カバー体を設けるようにし、撮像手段によって、子器本体ケースの上側面を介して送られてくる訪問者等から発せられた反射光を撮像するようにしているので、これに伴い、発光素子を、子器本体ケースの上側面に近い位置に設置することができるようになる。
【００３０】
この結果、撮像手段と発光素子との間隔を広くすることができるため、撮像手段の近傍に明るさセンサーを設けることができる。
【００３１】
このドアホン子器では、発光素子を、子器本体ケースの上側面に近い位置に設置することができるようなった結果、撮像手段の近傍に明るさセンサーを設けることができるため、ドアホン子器のダウンサイジングを実現できる。
【００３２】
請求項６に記載のドアホン子器は、請求項５に記載のドアホン子器の、発光素子、撮像手段及び明るさセンサーをカメラブロックとし、カメラブロックにより、撮像手段の撮像アングルを変えることができるようにした。
【００３３】
このドアホン子器では、カバー体を、子器本体ケースの上側面に形成し、しかも、撮像手段の撮像アングルを変えることができるので、撮像手段の撮像アングルを広範囲に調節することができる。
【００３４】
請求項７に記載のドアホン子器は、請求項６に記載のドアホン子器の、発光素子を、撮像手段の上方位置に設け、明るさセンサーを、前記撮像手段の下方位置に設けた。
【００３５】
このドアホン子器では、カバー体を、子器本体ケースの上側面に形成している。この結果、撮像手段の撮像アングルを上方向に向けた場合にも、カメラブロックにされた撮像手段の上方位置に設けられた発光素子から照射される光は、子器本体ケースの上側面に形成されているカバー体を通して外方へ照射されるため、このドアホン子器では、撮像手段の撮像アングルを上方向に大きく向けるように調節することができる。
【００３６】
また、明るさセンサーをカメラブロックにされた撮像手段の下方位置に設けているので、撮像手段の撮像アングルを上方向に大きく向けるように調節した場合であっても、明るさセンサーは、カバー体の可視光透過部の領域に位置するようにできるため、明るさセンサーにより、撮像手段が必要とする露光量を、正確に検知できる。
【００３７】
請求項８に記載のテレビ付きインターホンシステムは、請求項１〜７のいずれかに記載のドアホン子器と、ドアホン子器の撮像手段が撮像した映像を表示するモニターテレビを有する親機とを備える。
【００３８】
このテレビ付きインターホンシステムでは、ドアホン子器に内蔵されている撮像手段が広範囲の撮像視野を有する、請求項１〜７のいずれかに記載のドアホン子器を用いているので、親機のモニターテレビには、撮像手段が撮像した映像が、訪問者の顔が欠けたりすることなく映し出される。
【００３９】
この結果、住戸に、このテレビ付きインターホンシステムを取り付けた場合には、住戸人は、訪問者の顔をはっきりと確認した後に、扉を解錠できるので、不審者を住戸内に入れるというゆゆしき事態を防ぐことができる。
【００４０】
即ち、このテレビ付きインターホンシステムは、例えば、一人暮らしの若い女性などが入居する住戸の防犯対策用のインターホンシステムとして適している。
【発明の実施の形態】
【００４１】
以下、本発明を図面を参照しながら更に詳しく説明する。
【００４２】
図１は、本発明に係るドアホン子器を概略的に示す図であり、図１（ａ）は、本発明に係るドアホン子器を概略的に示す斜視図であり、また、図１（ｂ）は、本発明に係るドアホン子器の要部を説明するために、カバー体を、子器本体ケースから分離した状態で示す分解斜視図である。
【００４３】
また、図２は、カバー体を概略的に示す斜視図であり、また、図３は、ドアホン子器を概略的に示す断面図である。
【００４４】
このドアホン子器１は、住戸の扉の近傍に取り付けられるものであり、撮像手段、発光素子、スピーカ、集音マイクその他の電気回路部品を収容する子器本体ケース２を備える。
【００４５】
尚、３で示す部材装置は、子器本体ケース２内に収容されている撮像手段を示している。撮像手段３としては、例えば、ＣＣＤカメラ（固体撮像装置）等が用いられている。
【００４６】
子器本体ケース２は、撮像手段３が設けられる領域に開口部ｈ２を有する。
【００４７】
この開口部ｈ２には、カバー体４が、撮像手段３を覆うように設けられている。
【００４８】
また、図１中、５で示す部材装置は、呼出しボタンを、また、６は、スピーカを、各々、示している。
【００４９】
また、図３中、７で示す部材装置は、発光素子を、８で示す部材は、撮像手段３やこのドアホン子器１を制御する制御装置（ＣＰＵ）（図示せず。）等が実装される回路基板を、９で示す部材は、呼出しボタン５を照らす通電ランプを、また、１０で示す部材装置は、撮像対象やその周辺の明るさを検出する光センサー（明るさセンサー）を、各々、示している。
【００５０】
発光素子７は、夜間になり、ドアホン子器１の周辺が暗い時に点灯し、撮像手段３が撮像する被照射体（訪問者等）を照らすために設けられている。
【００５１】
また、光センサー（明るさセンサー）１０は、ドアホン子器１の周辺の明るさを検知するものである。
【００５２】
そして、光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０が検知した情報Ｄ１０が、しきい値Ｄｔｈに比べ、明るいと判断した場合（Ｄ１０≧Ｄｔｈ）に、発光素子７を点灯しないように、制御するようになっている。
【００５３】
また、回路基板８は、回転可能に設けられており、回路基板８の角度を変えれば、撮像手段３の撮像アングルを変えることができるようになっている。
【００５４】
このドアホン子器１では、まず、子器本体ケース２に設けられている開口部ｈ２の形状が、図１４に示したドアホン子器１０１の子器本体ケース１０２に設けられている開口部ｈ１０２の形状と異なっている。
【００５５】
即ち、このドアホン子器１では、開口部ｈ２は、子器本体ケース２の正面Ｓ２ａからその上側面Ｓ２ｂの領域にかけて、子器本体ケース２に形成されている。
【００５６】
また、カバー体４は、断面視した場合、概ね逆Ｌ字形状をしている。
【００５７】
そして、カバー体４を、子器本体ケース２の開口部ｈ２に取り付けた際に、子器本体ケース２の上側面Ｓ２ｂの領域にも、カバー体４（この例では、スモーク部４ａ）が形成されるようにしている。
【００５８】
このドアホン子器１では、子器本体ケース２の正面Ｓ２ａから上側面Ｓ２ｂにかけて、カバー体４（この例では、スモーク部４ａ）を設けるようにしているので、カバー体１０４を子器本体ケース１０２の正面方向にのみ設けた従来のドアホン子器１０１に比べ、ドアホン子器１に内蔵した撮像手段３の撮像視野を広範囲にすることができる。
【００５９】
次に、カバー体４の形状について更に詳しく説明する。
【００６０】
図４は、カバー体４を概略的に示す図であり、図４（ａ）は、カバー体４の好ましい形状を概略的に示す断面図であり、また、図４（ｂ）は、カバー体４のあまり好ましいとは言えない形状を概略的に示す断面図である。
【００６１】
図４（ａ）及び図１を参照しながら説明すると、カバー体４は、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備える。
【００６２】
この曲面Ｒｂは、子器本体ケース２の正面Ｓ２ａからその上側面Ｓ２ｂに移行するコーナ部の外表面側Ｓｒａに形成される曲面Ｒａと、概ね、同心円の関係になるように形成されている。
【００６３】
カバー体４では、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備える結果、図４（ｂ）に示すカバー体４Ａに生じる問題が生じない。
【００６４】
まず、図４（ｂ）に示すカバー体４Ａに生じる問題について詳述する。
【００６５】
図４（ｂ）に示すカバー体４Ａでは、カバー体４は、子器本体ケース２の正面Ｓ２ａからその上側面Ｓ２ｂに移行するコーナ部に、内表面側Ｓｒｂに、曲率の大きな曲面Ｒｃが形成されている。
【００６６】
このカバー体４Ａのように、子器本体ケース２の正面Ｓ２ａからその上側面Ｓ２ｂに移行するコーナ部の内表面側Ｓｒｂに、曲率の大きな曲面Ｒｃが形成されている場合には、発光素子７から照射される光であって、曲面Ｒｃの一方側Ｒｃ１を通過する光と、曲面Ｒｃの他方側Ｒｃ２を通過する光とは、このコーナ部において、互いに、著しく異なる方向に向けられる。
【００６７】
このようなことが原因し、発光素子７から光を照射した場合、カバー体４Ａの子器本体ケース２の正面Ｓ２ａからその上側面Ｓ２ｂに移行するコーナ部の外方において、発光素子７から照射された光が届かない部分が形成され、発光素子７を点灯して、被照射体（訪問者等）を照らした場合、被照射体（訪問者等）に線状の影ができる、という問題が生じる。
【００６８】
この結果、発光素子７を点灯し、被照射体（訪問者等）から発せられた光を撮像手段３で撮像した場合、撮像手段３が撮像した映像をモニターテレビ（図示せず。）で見た場合には、映像中に、暗線が形成される。
【００６９】
また、被照射体（訪問者等）から発せられた光（反射光）であって、曲面Ｒｃの一方側Ｒｃ１を入光する光と、曲面Ｒｃの他方側Ｒｃ２を入光する光とは、互いに、異なる方向に向けられる。
【００７０】
また、図４（ｂ）に示すカバー体４Ａでは、カバー体４Ａの子器本体ケース２の子器本体ケース２の正面Ｓ２ａからその上側面Ｓ２ｂに移行するコーナ部の肉厚に厚い部分と細い部分とが形成される。
【００７１】
このようなことが原因して、被照射体（訪問者等）から発せられた光を撮像手段３で撮像した場合、曲面Ｒｃの一方側Ｒｃ１を入光する光と、曲面Ｒｃの他方側Ｒｃ２を入光する光とは、互いに、異なる方向に向けられる結果、撮像手段３によって撮像した映像は、カバー体４Ａの子器本体ケース２の正面Ｓ２ａからその上側面Ｓ２ｂに移行するコーナ部を介して撮像した部分においてゆがみが生じ、この映像をモニターテレビ（図示せず。）で見た場合には、線模様が現れず、来訪者の顔などが、つぶれたりする、という問題が生じる。
【００７２】
これに対し、図４（ａ）に示すカバー体４では、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備えている。このため、発光素子７から照射される光は、カバー体４は、子器本体ケース２の正面Ｓ２ａからその上側面Ｓ２ｂに移行するコーナ部において、均等に、放射線方向に曲げられる結果、カバー体４の子器本体ケース２の正面Ｓ２ａからその上側面Ｓ２ｂに移行するコーナ部の外方において、発光素子７から照射された光が届かない部分が形成されることがないため、発光素子７を発光して被照射（訪問者等）を照らした場合、被照射体（訪問者等）に線状の影ができることはない。
【００７３】
この結果、発光素子７を点灯し、被照射体（訪問者等）から発せられた光を撮像手段３で撮像した場合、撮像手段３が撮像した映像をモニターテレビ（図示せず。）で見た場合には、映像中に、暗線が形成されることはなく、被照射体（訪問者等）がはっきりとモニターテレビ（図示せず。）に映し出される。
【００７４】
また、被照射体（訪問者等）から発せられた光（反射光）であって、曲面Ｒｂから入光する光は、カバー体４の子器本体ケース２の正面Ｓ２ａからその上側面Ｓ２ｂに移行するコーナ部において、均等に、曲げられる。
【００７５】
また、図４（ａ）に示すカバー体４では、カバー体４の子器本体ケース２の子器本体ケース２の正面Ｓ２ａからその上側面Ｓ２ｂに移行するコーナ部の肉厚が同じ厚さ又は概ね同じ厚さに形成されている。
【００７６】
この結果、被照射体（訪問者等）から発せられた光を撮像手段３で撮像した場合、撮像手段３によって撮像した映像は、カバー体４の子器本体ケース２の正面Ｓ２ａからその上側面Ｓ２ｂに移行するコーナ部を介して撮像した部分においてもゆがみが殆ど生じない。従って、この映像をモニターテレビ（図示せず。）で見た場合には、線模様が現れず、来訪者の顔などが、つぶれたりすることなく、被照射体（訪問者等）がはっきりとモニターテレビ（図示せず。）に映し出される。
【００７７】
次に、カバー体４の構成について更に詳しく説明する。
【００７８】
カバー体４は、図２及び図３に示すように、発光素子（図３に示す発光素子７）が外部から見えないようにするためのスモーク部４ａと、可視光透過部４ｂとを備える。
【００７９】
スモーク部４ａは、例えば、茶色等の暗色に着色された透明樹脂で製されている。
【００８０】
スモーク部４ａは、その中央に開口部ｈ４を有する枠体形状をしている。
【００８１】
可視光透過部４ｂは、無色透明な樹脂で製されており、枠体形状のスモーク部４ａの開口部ｈ４を塞ぐように一体成形されている。
【００８２】
図５は、カバー体４の構成を模式的に示す構成図である。
【００８３】
尚、カバー体４は、図１〜図４の各々において示したように、実際には、断面視した場合、略逆Ｌ字形状になっているが、図５では、説明を容易とするために、平板形状にして説明している。
【００８４】
この例では、カバー体４は、可視光透過部４ｂが、枠体形状のスモーク部４ａを覆うように、且つ、枠体形状のスモーク部４ａの開口部ｈ４を塞ぐように一体成形されている。
【００８５】
より詳しく説明すると、このカバー体４では、可視光透過部４ｂが、枠体形状のスモーク部４ａの、カバー体４を子器本体ケース２に取り付けた後において、外側から見える側の表面を覆うように、且つ、枠体形状のスモーク部４ａの開口部ｈ４を塞ぐように一体成形されている。
【００８６】
このドアホン子器１では、可視光透過部４ｂが、枠体形状のスモーク部４ａのを覆うように、且つ、枠体形状のスモーク部４ａの開口部を塞ぐように一体成形しているので、カバー体４の表面が、可視光透過部４ｂによって万遍なく覆われ、可視光透過部４ｂとスモーク部４ａとの界面が、外部に露呈せず、カバー体４を観る人は、スモーク部４ａを、可視光透過部４ｂを介して外部から見えるスケルトンとして認識するため、このカバー体４を採用したドアホン子器は、美観に優れている。
【００８７】
尚、ここでは、スモーク部４ａを、可視光透過部４ｂを介して外部から見えるスケルトンとしたカバー体４について説明したが、単純には、図６に示すカバー体４Ａのように、発光素子７が外部から見えないようにするためのスモーク部４ａの中央の開口部ｈ４を塞ぐように、可視光透過部４ｂを一体成形してもよい。
【００８８】
カバー体４、４Ａこのように、スモーク部４ａと可視光透過部４ｂとを一体成形した場合には、カバー体（図示せず。）の各々に、スモークシート（図示せず。）を貼着するようにした場合に比べ、ドアホン子器の組立作業者の組立作業を、カバー体（図示せず。）の各々に、スモークシート（図示せず。）を貼着しなくてよいようにした分、軽減できる。
【００８９】
次に、カバー体４の製造方法について説明する。
【００９０】
図７は、カバー体４の製造方法の好ましい一例を概略的に示す工程図であり、また、図８は、カバー体４の製造方法のあまり好ましいとは言えない一例を概略的に示す工程図である。
【００９１】
カバー体４、４Ａは、例えば、射出成形法により製造することができる。
【００９２】
カバー体４、４Ａを製造する際には、まず、中央に開口部ｈ４を有するスモーク部４ａを射出成形法により製造する。
【００９３】
次に、スモーク部４ａを、射出成形用金型（図示せず。）の所定の位置にセットする。
【００９４】
そして、カバー体４Ａを製造する場合にあっては、スモーク部４ａの開口部ｈ４内に、可視光透過部４ｂとなる溶融樹脂を充填する。
【００９５】
また、カバー体４を製造する場合にあっては、スモーク部４ａの一方側の表面を覆うように、且つ、スモーク部４ａの開口部ｈ４内に、可視光透過部４ｂとなる溶融樹脂を充填する。
【００９６】
この場合、射出成形用金型（図示せず。）の可視光透過部４ｂとなる溶融樹脂を流し込む湯口Ｅは、図７（ｂ）に示すように、スモーク部４ａの開口部ｈ４の領域に形成するのが好ましい。
【００９７】
これは、例えば、図８（ｂ）に示すように、射出成形用金型（図示せず。）の可視光透過部４ｂとなる溶融樹脂を流し込む湯口Ｅを、スモーク部４ａの外側側方位置に設けた場合には、スモーク部４ａにも、スモーク部４ａの開口部ｈ４に溶融樹脂を送り込む湯道４ｒを形成する必要があるのに対し、図７（ｂ）に示すように、スモーク部４ａの開口部ｈ４の領域に形成した場合には、スモーク部４ａに、スモーク部４ａの開口部ｈ４に溶融樹脂を送り込む湯道４ｒを形成する必要がなくなるからである。
【００９８】
次に、発光素子７及び撮像手段３の好ましい組み合わせについて、説明する。
【００９９】
発光素子７としては、例えば、赤外線発光ダイオードを用いることが好ましい。
【０１００】
この場合、撮像手段３として、赤外線撮像手段を用いることが好ましい。
【０１０１】
また、この場合、カバー体４のスモーク部４ａは、赤外線を透過する材料で製せられる。
【０１０２】
このように、発光素子７として、赤外線発光ダイオードを用い、撮像手段３として、赤外線撮像手段を用いた場合には、訪問者等に、訪問者等を撮像していることを気づかれることなく、訪問者等を撮像手段により撮像できる。更に、撮像手段３として、赤外線撮像手段を用いているので、赤外線発光ダイオードが発光することにより照射され訪問者等によって反射された赤外線の反射光を撮像することで、訪問者等をはっきりと撮像できる。
【０１０３】
また、発光素子７としては、例えば、白色発光素子を用いてもよい。
【０１０４】
この場合、撮像手段３として、カラー撮像手段を用いることが好ましい。
【０１０５】
このように、発光素子７として、白色発光素子を用い、撮像手段３として、カラー撮像手段を用いた場合には、このドアホン子器１に接続する親機として、カラーモニターテレビを備えたものを用いれば、親機のモニターテレビに、訪問者等の映像をカラーで映し出すことができる。
【０１０６】
また、このドアホン子器１では、子器本体ケース２の正面Ｓ２ａから上側面Ｓ２ｂにかけて、カバー体４を設けるようにした結果、図３に示すように、発光素子７を、撮像手段３を実装する回路基板８の上方に設けることができる。
【０１０７】
この結果、撮像手段３と発光素子７との間隔を拡げることができるため、撮像手段３の周辺に、発光素子７を設けていない分、空間が形成される。
【０１０８】
この結果、発光素子７を点灯するか否かの撮像手段３の露光量を検出するための光センサー（明るさセンサー）１０を撮像手段３の近傍位置に設けることができる。
【０１０９】
このドアホン子器１では、発光素子１０を、子器本体ケース２の上側面Ｓ２ｂに近い位置に設置することができるようなった結果、撮像手段３の近傍に光センサー（明るさセンサー）１０を設けることができるため、ドアホン子器１のダウンサイジングを実現できる。
【０１１０】
次に、ドアホン子器１のその他の構成について概説する。
【０１１１】
このドアホン子器１では、更に、発光素子７、撮像手段１０及び光センサー（明るさセンサー）１０をカメラブロックとし、カメラブロックにより、撮像手段１０の撮像アングルを変えることができるようにしている。
【０１１２】
以下、このカメラブロックの構成について、詳しく説明する。
【０１１３】
図９は、ドアホン子器１をその正面側から見た状態を概略的に示す分解斜視図である。
【０１１４】
また、図１０は、ドアホン子器１をその背面側から見た状態を概略的に示す分解斜視図である。
【０１１５】
尚、図９及び図１０の各々においては、カバー体４については、図示するのを省略する。
【０１１６】
また、図９及び図１０の各々中、既に説明した部材装置については、説明を容易とするため、既に説明した部材装置に相当する部材装置については、相当する参照符号を付して、その説明を省略する。
【０１１７】
図９及び図１０の各々中、１２で示す部材装置は、回動ユニットを、又、１３で示す部材装置は、角度調節レバーを、各々、示している。
【０１１８】
また、１７で示す部材は、親機（図示せず。）との通話等を制御する電子回路部品を実装する回路基板を示している。
【０１１９】
また、ｈ７は、発光素子７の取付孔を示している。
【０１２０】
発光素子７は、１個以上設けられる。尚、この例では、発光素子７を最大４個まで取り付けられるようになっている。
【０１２１】
回動ユニット１２は、回転軸１２ａ、１２ｂと、撮像手段３を嵌合わせる嵌合凹部１２ｃとを備える。
【０１２２】
角度調節レバー１３は、操作片１４と、支持軸１５と、ガイド湾曲部１６とを備える。
【０１２３】
ガイド湾曲部１６は、断面視した場合、円部材を切断した形状になっている。
【０１２４】
操作片１４は、ガイド湾曲部１６の凸面側の表面の中央部又は概ね中央部に立設するように設けられている。
【０１２５】
支持軸１５は、ガイド湾曲部１６の凹面側の表面の中央部又は概ね中央部に立設するように設けられている。
【０１２６】
支持軸１５は、二股にされた１対の脚部１５ａ、１５ａと、脚部１５ａと脚部１５ａとの接続部のやや上方に側方から突設するように設けられた回転軸１５ｂとを備える。
【０１２７】
脚部１５ａと脚部１５ａとの接続部は、半円形状の丸い凹部に形成されている。
【０１２８】
ドアホン子器１の子器本体ケース２は、正面カバー２ａとベース２ｂとの２部材を備える。
【０１２９】
正面カバー２ａには、開口部ｈ２や、押しボタン（図１に示す押しボタン５）を取り付ける取付穴ｈ３が設けられている。
【０１３０】
また、正面カバー２ａの内側には、図１０に示すように、撮像手段３を実装した回路基板８を回転可能に取り付ける取付枠体１１が形成されている。
【０１３１】
取付枠体１１は、回動ユニット１２の回転軸１２ａ、１２ｂの各々を回転可能に収容する、回転軸収容穴ｈ１１ａ、ｈ１１ｂを備える。
【０１３２】
また、取付枠体１１は、脚部１５ａと脚部１５ａとの接続部を支持する支持軸（図１２（ａ）に示す支持軸１１ｃ）を側方に有する立設部１１ａと、立設部１１ａから、支持軸１５の脚部１５ａ、１５ａの各々の厚さ分程度離れるようにして設けられ、支持軸１５の回転軸１５ｂを回転可能に収容する回転軸収容部１１ｂとを備える。
【０１３３】
回路基板８は、角度調節レバー１３の１対の脚部１５ａ、１５ａを挿通する挿通孔ｈ８を備える。
【０１３４】
また、ベース２ｂは、角度調節レバー１３の操作片１４を挿通する操作片挿通孔ｈ２ｂを備える。
【０１３５】
また、ベース２ｂの操作片挿通孔ｈ２ｂの周辺は、ガイド湾曲部１６の凸面側の表面側を収容できるように湾曲したガイド湾曲部収容部２ｃが設けられている。
【０１３６】
次に、ドアホン子器１の組立工程について説明する。
【０１３７】
まず、回路基板８に撮像手段３を実装する。
【０１３８】
次に、回動ユニット１２を、取付枠体１１に回転可能に取り付ける。
【０１３９】
より詳しく説明すると、回動ユニット１２の回転軸１２ａを回転軸収容穴ｈ１１ａに挿入し、回転軸１２ｂを回転軸収容穴ｈ１１ｂに挿入する。
【０１４０】
次に、取付枠体１１に回転可能に取り付けられた回動ユニット１２の嵌合凹部１２ｃに、回路基板８に実装された撮像手段３を嵌合する。
【０１４１】
次に、角度調節レバー１３の取付工程を説明する。
【０１４２】
図１１は、角度調節レバー１３の取付工程を概略的に説明する説明図である。
【０１４３】
尚、図１１（ａ）及び図１１（ｂ）の各図では、説明を容易とするために、回路基板８及び撮像手段３の図示は省略する。
【０１４４】
次に、角度調節レバー１３の支持軸１５を、回路基板８に設けられている挿通孔ｈ８を挿通させて、支持軸１５の脚部１５ａ、１５ａを立設部１１ａの支持軸１１ｃに取付け、支持軸１５の回転軸１５ｂを回転軸収容部１１ｂに取り付ける。
【０１４５】
次に、正面カバー２ａに、ベース２ｂを取り付ける。
【０１４６】
この時、角度調節レバー１３の操作片１４が、操作片挿通孔ｈ２ｂを通じて、外部に突出するように、且つ、角度調節レバー１３のガイド湾曲部１６がガイド湾曲部収容部２ｃに回転可能に収容されるようにする。
【０１４７】
図１２は、以上のようにして組み立てられたドアホン子器１を、撮像手段３の回転機構を中心にして模式的に示す断面図である。
【０１４８】
このドアホン子器１では、回動ユニット１２の回転軸１２ａを取付枠体１１の回転軸収容穴ｈ１１ａに挿入し、回転軸１２ｂを回転軸収容穴ｈ１１ｂに挿入することで、回動ユニット１２が取付枠体１１に対して、回転軸１２ａ、１２ｂを軸にして回転するようにしている。
【０１４９】
また、角度調節レバー１３は、支持軸１５の回転軸１５ｂを軸にして回転する。
【０１５０】
この結果、角度調節レバー１３の操作片１４を、上方向（図１２中、白抜き矢印で示す方向）へ移動させると、撮像手段３の撮像アングルは、上方向（図１２中、白抜き矢印で示す方向）を向く。
【０１５１】
一方、角度調節レバー１３の操作片１４を、下方向（図１２中、黒矢印で示す方向）へ移動させると、撮像手段３の撮像アングルは、下方向（図１２中、黒矢印で示す方向）を向く。
【０１５２】
このように、このドアホン子器１では、角度調節レバー１３の操作片１４の移動方向と順方向に、撮像手段３の撮像アングルが移動するようにしているので、施工業者が、このドアホン子器１を住戸の扉周辺に取付けする際に、撮像手段３の撮像アングルを調節する際に、角度調節レバー１３の操作片１４の移動方向と逆方向に、撮像手段３の撮像アングルが移動するようにされているドアホン子器に比べ、撮像手段３の撮像アングルを調節がし易い。
【０１５３】
のみならず、このドアホン子器１では、カバー体４を、子器本体ケース２の上側面Ｓ２ｂの領域にも形成しているので、撮像手段３の撮像アングルを広角度に調節できるという長所もある。
【０１５４】
また、このドアホン子器１では、発光素子１０を、図３に示すように、撮像手段３の上方位置に設け、光センサー（明るさセンサー）１０を、撮像手段３の下方位置に設けている。
【０１５５】
この結果、撮像手段３の撮像アングルを上方向に向けた場合にも、カメラブロックにされた撮像手段３の上方位置に設けられた発光素子７から照射される光は、子器本体ケース２の上側面Ｓ２ｂに形成されているカバー体４を通して外方へ照射されるため、このドアホン子器１では、撮像手段３の撮像アングルを上方向に大きく向けるように調節することができる。
【０１５６】
また、光センサー（明るさセンサー）１０をカメラブロックにされた撮像手段３の下方位置に設けているので、撮像手段３の撮像アングルを上方向に大きく向けるように調節した場合であっても、光センサー（明るさセンサー）１０は、カバー体４の可視光透過部４ｂの領域に位置するようにできるため、光センサー（明るさセンサー）１０により、撮像手段３が必要とする露光量を、正確に検知できる。
【０１５７】
次に、このドアホン子器１を備えるテレビ付きインターホンシステムの構成について説明する。
【０１５８】
図１３は、ドアホン子器１を備えるテレビ付きインターホンシステムの構成を概略的に示す構成図であり、図１３（ａ）は、ハンズフリー型の親機を備えるテレビ付きインターホンシステムの構成図を、また、図１３（ｂ）は、ハンドセットを備える親機を備えるテレビ付きインターホンシステムの構成図を、各々、例示的に示している。
【０１５９】
まず、図１３（ａ）に示す、ハンズフリー型の親機を備えるテレビ付きインターホンシステムについて説明する。
【０１６０】
このテレビ付きインターホンシステム３１は、ドアホン子器１と親機３２とを備える。
【０１６１】
ここでは、ドアホン子器１の構成は、図１に示したものと同様であるので、ここでは説明を容易とするため、図１に示したドアホン子器１を構成する部材装置に相当する部材装置については、相当する参照符号を付して、その説明を省略する。
【０１６２】
親機３２は、モニターテレビ３３と、集音マイク３４と、モニターボタン３５と、通話ボタン３６と、スピーカ（図示せず。）とを備える。
【０１６３】
尚、図１３（ａ）中、３７で示す部材装置は、通話ボタン３６がオンにされている際に点灯する通話確認ランプを示している。
【０１６４】
ドアホン子器１と親機３２とは、信号線Ｌで接続されている。
【０１６５】
次に、このテレビ付きインターホンシステム３１の動作について説明する。
【０１６６】
このテレビ付きインターホンシステム３１では、訪問客が、ドアホン子器１の呼出しボタン５を押し操作すると、住戸内に設けられる親機（図示せず。）の呼出装置が鳴動するとともに、ドアホン子器１の撮像手段３がオンとなり、住戸内に設けられる親機３２のモニターテレビ３３に、撮像手段３が撮像した映像が映し出されるようになっている。
【０１６７】
より詳しく説明すると、訪問客が、ドアホン子器１の呼出しボタン５を押し操作すると、光センサー（明るさセンサー）（図３に示す光センサー（明るさセンサー）１０）が、ドアホン子器１の周辺の明るさを検知する。
【０１６８】
光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０を点灯した状態で、撮像手段３が、訪問客を撮像する。
【０１６９】
また、光センサー（明るさセンサー）１０が検知した情報Ｄ１０が、しきい値Ｄｔｈに比べ、明るいと判断した場合（Ｄ１０≧Ｄｔｈ）には、発光素子７を点灯しない状態で、撮像手段３が、訪問客を撮像する。
【０１７０】
また、住戸人が、親機３２の通話ボタン３６を押し操作した後、親機３２に向かって、訪問客に対して応答すると、その音声が、親機３２に設けられている、集音マイク３４によって拾われるが、この集音マイク３４によって拾われた音声が、ドアホン子器１に設けられているスピーカ６から出力されるようになっている。
【０１７１】
また、訪問客が、来訪の旨を告げると、ドアホン子器１に設けられている集音マイク（図示せず。）が、この音声を拾い、この音声が、親機３２のスピーカ（図示せず）から出力されるようになっている。
【０１７２】
また、住戸人が、住戸の扉付近の様子を知りたいときには、親機３２に設けられているモニターボタン３５を押し操作すると、所定時間、ドアホン子器１に設けられている撮像手段３及び親機３２に設けられているモニターテレビ３３の各々が通電状態になり、撮像手段３が撮像した映像が、モニターテレビ３３に映し出されるようになっている。
【０１７３】
次に、図１３（ｂ）に示す、ハンズフリー型の親機を備えるテレビ付きインターホンシステムについて説明する。
【０１７４】
このテレビ付きインターホンシステム４１は、ドアホン子器１と親機４２とを備える。
【０１７５】
ここでは、ドアホン子器１の構成は、図１に示したものと同様であるので、ここでは説明を容易とするため、図１に示したドアホン子器１を構成する部材装置に相当する部材装置については、相当する参照符号を付して、その説明を省略する。
【０１７６】
親機４２は、モニターテレビ４３と、スピーカ４８と、ハンドセット４９とを備える。
【０１７７】
尚、図１３（ｂ）中、５０で示す部材装置は、操作表示パネル部を示している。
【０１７８】
ドアホン子器１と親機４２とは、信号線Ｌで接続されている。
【０１７９】
次に、このテレビ付きインターホンシステム４１の動作について説明する。
【０１８０】
このテレビ付きインターホンシステム４１では、訪問客が、ドアホン子器１の呼出しボタン５を押し操作すると、住戸内に設けられる親機の呼出装置が鳴動するとともに、ドアホン子器１の撮像手段３がオンとなり、住戸内に設けられる親機４２のモニターテレビ４３に、撮像手段３が撮像した映像が、所定時間、映し出されるようになっている。
【０１８１】
より詳しく説明すると、訪問客が、ドアホン子器１の呼出しボタン５を押し操作すると、光センサー（明るさセンサー）（図３に示す光センサー（明るさセンサー）１０）が、ドアホン子器１の周辺の明るさを検知する。光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０を点灯した状態で、撮像手段３が、訪問客を撮像する。
【０１８２】
また、光センサー（明るさセンサー）１０が検知した情報Ｄ１０が、しきい値Ｄｔｈに比べ、明るいと判断した場合（Ｄ１０≧Ｄｔｈ）には、発光素子７を点灯しない状態で、撮像手段３が、訪問客を撮像する。
【０１８３】
また、住戸人が、ハンドセット４９を取り上げ（オフフックし）、ハンドセット４９に向かって、訪問客に対して応答すると、その音声が、ハンドセット４９の送話器（図示せず。）によって拾われ、この送話器（図示せず。）が拾った音声が、ドアホン子器１に設けられているスピーカ６から出力されるようになっている。
【０１８４】
また、訪問客が、来訪の旨を告げると、ドアホン子器１に設けられている集音マイク（図示せず。）が、この音声を拾い、この音声が、親機３２のスピーカ（図示せず）から出力されるようになっている。
【０１８５】
また、住戸人が、住戸の扉付近の様子を知りたいときには、親機４２のハンドセット４９を取り上げると（オフフックすると）、ドアホン子器１に設けられている撮像手段３及び親機４２に設けられているモニターテレビ４３の各々が通電状態になり、撮像手段３が撮像した映像が、モニターテレビ４３に、所定時間、映し出されるようになっている。
【０１８６】
尚、住戸人が、所定時間内に、親機４２のハンドセット４９を元に戻す（オンフックする）と、撮像手段３がオフし、モニターテレビ４３もオフするようにされている。
【０１８７】
上述したテレビ付きインターホンシステム３１、４１では、いずれも、ドアホン子器１に内蔵されている撮像手段３が広範囲の撮像視野を有するので、親機３２、４２のモニターテレビ３３、４３には、撮像手段３が撮像した映像が、訪問者の顔が欠けたりすることなく映し出される。
【０１８８】
この結果、住戸に、上述したテレビ付きテレビ付きインターホンシステム３１、４１を取り付けた場合には、住戸人は、訪問者の顔をはっきりと確認した後に、扉を解錠できるので、不審者を住戸内に入れるというゆゆしき事態を防ぐことができる。
【０１８９】
即ち、上述したテレビ付きテレビ付きインターホンシステム３１、４１は、いずれも、例えば、一人暮らしの若い女性などが入居する住戸の防犯対策用のインターホンシステムとして適している。
【発明の効果】
【０１９０】
以上、詳細に説明したように、請求項１に記載のドアホン子器では、子器本体ケースの正面から上側面にかけて、発光素子からの光を透過して訪問者等を照らすスモーク部を備えたカバー体を設けるようにしているので、カバー体を子器本体ケースの正面方向にのみ設けたドアホン子器に比べ、、ドアホン子器の上側面からも発光素子が投光されて照明範囲が広げられるため、ドアホン子器に内蔵した撮像手段の撮像視野を広範囲にすることができる。
【０１９１】
又、訪問者等を照らす発光素子として、赤外線発光ダイオードを用いているので、訪問者等に、訪問者等を撮像していることを気づかれることなく、訪問者等を撮像手段により撮像できる。更に、このドアホン子器では、撮像手段として、赤外線撮像手段を用いているので、赤外線発光ダイオードが発光することにより照射され訪問者等によって反射された赤外線の反射光を撮像することで、訪問者等をはっきりと撮像できる。
【０１９２】
請求項２に記載のドアホン子器では、カバー体は、子器本体ケースの正面からその上面側面部に移行するコーナ部の内表面側に、撮像手段が撮像する映像に線模様が形成されるのを防止するための緩やかな曲面を設けているので、撮像手段が、このコーナ部を通して撮像した映像に、線模様が形成されない。
【０１９３】
この結果、このドアホン子器を親機に接続し、親機のモニターテレビに、このドアホン子器に内蔵した撮像手段が撮像した映像を映し出した場合に、モニターテレビに映し出される映像に、線模様が現れず、来訪者の顔などが、つぶれたりすることなく、はっきり判るように映し出される。
【０１９４】
請求項３に記載のドアホン子器では、ドアホン子器に内蔵される発光素子をスモーク部により外側から見えないようにしているので、美観に優れている。のみならず、スモーク部と可視光透過部とを一体成形しているので、カバー体の各々に、スモークシートを貼着するようにした場合に比べ、ドアホン子器の組立作業者の組立作業を、カバー体の各々に、スモークシートを貼着しなくてよいようにした分、軽減できる。
【０１９５】
請求項４に記載のドアホン子器では、可視光透過部が、枠体形状のスモーク部を覆うように、且つ、枠体形状のスモーク部の開口部を塞ぐように一体成形しているので、カバー体の表面が、可視光透過部によって万遍なく覆われ、可視光透過部とスモーク部との界面が、外部に露呈せず、カバー体を観る人は、スモーク部を、可視光透過部を介して外部から見えるスケルトンとして認識するため、このカバー体を採用したドアホン子器は、美観に優れている。
【０１９６】
請求項５に記載のドアホン子器では、子器本体ケースの正面から上側面にかけて、カバー体を設けるようにし、撮像手段によって、子器本体ケースの上側面を介して送られてくる訪問者等から発せられた反射光を撮像するようにしているので、これに伴い、発光素子を、子器本体ケースの上側面に近い位置に設置することができるようになる。
【０１９７】
この結果、撮像手段と発光素子との間隔を広くすることができるため、撮像手段の近傍に明るさセンサーを設けることができる。
【０１９８】
このドアホン子器では、発光素子を、子器本体ケースの上側面に近い位置に設置することができるようなった結果、撮像手段の近傍に明るさセンサーを設けることができるため、ドアホン子器のダウンサイジングを実現できる。
【０１９９】
請求項６に記載のドアホン子器では、カバー体を、子器本体ケースの上側面に形成し、しかも、撮像手段の撮像アングルを変えることができるので、撮像手段の撮像アングルを広範囲に調節することができる。
【０２００】
請求項７に記載のドアホン子器では、カバー体を、子器本体ケースの上側面に形成している。この結果、撮像手段の撮像アングルを上方向に向けた場合にも、カメラブロックにされた撮像手段の上方位置に設けられた発光素子から照射される光は、子器本体ケースの上側面に形成されているカバー体を通して外方へ照射されるため、このドアホン子器では、撮像手段の撮像アングルを上方向に大きく向けるように調節することができる。
【０２０１】
また、明るさセンサーをカメラブロックにされた撮像手段の下方位置に設けているので、撮像手段の撮像アングルを上方向に大きく向けるように調節した場合であっても、明るさセンサーは、カバー体の可視光透過部の領域に位置するようにできるため、明るさセンサーにより、撮像手段が必要とする露光量を、正確に検知できる。
【０２０２】
請求項８に記載のテレビ付きインターホンシステムでは、ドアホン子器に内蔵されている撮像手段が広範囲の撮像視野を有する、請求項１〜７のいずれかに記載のドアホン子器を用いているので、親機のモニターテレビには、撮像手段が撮像した映像が、訪問者の顔が欠けたりすることなく映し出される。
【０２０３】
この結果、住戸に、このテレビ付きインターホンシステムを取り付けた場合には、住戸人は、訪問者の顔をはっきりと確認した後に、扉を解錠できるので、不審者を住戸内に入れるというゆゆしき事態を防ぐことができる。
【０２０４】
即ち、このインターホンシステムは、例えば、一人暮らしの若い女性などが入居する住戸の防犯対策用のインターホンシステムとして適している。
【図面の簡単な説明】
【図１】本発明に係るドアホン子器を概略的に示す図であり、図１（ａ）は、本発明に係るドアホン子器を概略的に示す斜視図であり、また、図１（ｂ）は、本発明に係るドアホン子器の要部を説明するために、カバー体を、子器本体ケースから分離した状態で示す分解斜視図である。
【図２】図１に示すドアホン子器で用いられているカバー体を概略的に示す斜視図である。
【図３】図１に示すドアホン子器を概略的に示す断面図である。
【図４】図１に示すドアホン子器で用いられているカバー体を概略的に示す図であり、図４（ａ）は、カバー体の好ましい形状を概略的に示す断面図であり、また、図４（ｂ）は、カバー体のあまり好ましいとは言えない形状を概略的に示す断面図である。
【図５】図１に示すドアホン子器で用いられているカバー体の構成の一例を模式的に示す構成図である。
【図６】図１に示すドアホン子器で用いられているカバー体の構成の他の一例を模式的に示す断面図である。
【図７】図１に示すドアホン子器で用いられているカバー体の製造方法の好ましい一例を概略的に示す工程図である。
【図８】図１に示すドアホン子器で用いられているカバー体の製造方法のあまり好ましいとは言えない一例を概略的に示す工程図である。
【図９】図１に示すドアホン子器をその正面側から見た状態を概略的に示す分解斜視図である。
【図１０】図１に示すドアホン子器をその背面側から見た状態を概略的に示す分解斜視図である。
【図１１】角度調節レバーの取付工程を概略的に説明する説明図である。
【図１２】図１に示すドアホン子器を、撮像手段の回転機構を中心にして模式的に示す断面図である。
【図１３】本発明に係るテレビ付きインターホンシステムの構成を概略的に示す構成図であり、図１３（ａ）は、ハンズフリー型の親機を備えるテレビ付きインターホンシステムの構成図を、また、図１３（ｂ）は、ハンドセットを備える親機を備えるテレビ付きインターホンシステムの構成図を、各々、例示的に示している。
【図１４】従来のテレビ付きインターホンシステムにおいて採用されているドアホン子器を概略的に示す斜視図である。
【符号の説明】
１ ドアホン子器
２ 子器本体ケース
３ 撮像手段
４ カバー体
４ａ スモーク部
４ｂ 可視光透過部
５ 呼出しボタン
６ スピーカ
７ 発光素子
８ 回路基板
１０ 光センサー（明るさセンサー）
３１、４１ テレビ付きインターホンシステム
３２、４２ 親機
ｈ２ 子器本体ケースに設けられた開口部
Ｓ２ａ 子器本体ケースの正面
Ｓ２ｂ 子器本体ケースの上側面
【図１】
0003682573.tif 000002
【図２】
0003682573.tif 000003
【図３】
0003682573.tif 000004
【図４】
0003682573.tif 000005
【図５】
0003682573.tif 000006
【図６】
0003682573.tif 000007
【図７】
0003682573.tif 000008
【図８】
0003682573.tif 000009
【図９】
0003682573.tif 000010
【図１０】
0003682573.tif 000011
【図１１】
0003682573.tif 000012
【図１２】
0003682573.tif 000013
【図１３】
0003682573.tif 000014
【図１４】
0003682573.tif 000015